(57)【要約】【課題】高度広帯域衛星デジタル放送を、ケーブルテレビ網等のネットワークを介して加入者宅へ再送信する優れたシステムを構築する。【解決手段】高度広帯域衛星デジタル放送に用いられる放送再送信装置は、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナと、前記チューナの前記記憶部から前記ＴＭＣＣ情報の一部である第１の情報を読み出す読み出し部と、前記ＴＭＣＣ情報に含まれる情報であって前記第１の情報とは異なる情報である第２の情報を作成する情報作成部と、前記第１の情報および前記第２の情報を合わせることにより、前記ＴＭＣＣ情報の一部または全部を復元する情報復元部と、前記復調データおよび前記ＴＭＣＣ情報を含むストリームを生成するストリーム生成部とを備える。【選択図】図４
2020010109.tif 000002
【特許請求の範囲】
【請求項１】
高度広帯域衛星デジタル放送に用いられる放送再送信装置であって、
番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナと、
前記チューナの前記記憶部から前記ＴＭＣＣ情報の一部である第１の情報を読み出す読み出し部と、
前記ＴＭＣＣ情報に含まれる情報であって前記第１の情報とは異なる情報である第２の情報を作成する情報作成部と、
前記読み出し部によって読み出された前記第１の情報および前記情報作成部によって作成された前記第２の情報を合わせることにより、前記ＴＭＣＣ情報の一部または全部を復元する情報復元部と、
前記チューナから受けた前記復調データ、および前記情報復元部によって復元された前記ＴＭＣＣ情報を含むストリームを生成するストリーム生成部と、
前記ストリーム生成部によって生成された前記ストリームを変調して再送信用放送波を生成する放送波生成部とを備える、放送再送信装置。
【請求項２】
前記衛星放送波は、複数のフレームを含み、
前記放送再送信装置は、さらに、
前記チューナから受けた前記復調データに基づいて前記フレームのタイミングを検出し、検出した前記タイミングに基づいて、前記ストリーム生成部および前記放送波生成部において用いられるクロックの周波数を調整する調整部を備える、請求項１に記載の放送再送信装置。
【請求項３】
高度広帯域衛星デジタル放送に用いられ、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナを備える放送再送信装置における放送再送信方法であって、
前記チューナの前記記憶部から前記ＴＭＣＣ情報の一部である第１の情報を読み出すステップと、
前記ＴＭＣＣ情報に含まれる情報であって前記第１の情報とは異なる情報である第２の情報を作成するステップと、
読み出した前記第１の情報および作成した前記第２の情報を合わせることにより、前記ＴＭＣＣ情報の一部または全部を復元するステップと、
前記チューナから受けた前記復調データ、および復元した前記ＴＭＣＣ情報を含むストリームを生成するステップと、
生成した前記ストリームを変調して再送信用放送波を生成するステップとを含む、放送再送信方法。
【発明の詳細な説明】
【技術分野】
【０００１】
本発明は、放送再送信装置および放送再送信方法に関する。
【背景技術】
【０００２】
従来、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００３】
たとえば、一般社団法人  電波産業会、”デジタル放送におけるＭＭＴによるメディアトランスポート方式  ＡＲＩＢ  ＳＴＤ−Ｂ６０  １．９版”、平成２９年３月２４日（非特許文献１）には、ＭＭＴ方式を用いる放送システムが開示されている。
【０００４】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【先行技術文献】
【非特許文献】
【０００５】
【非特許文献１】一般社団法人  電波産業会、”デジタル放送におけるＭＭＴによるメディアトランスポート方式  ＡＲＩＢ  ＳＴＤ−Ｂ６０  １．９版”、平成２９年３月２４日
【非特許文献２】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年８月２９日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【非特許文献３】一般社団法人  電波産業会、”高度広帯域衛星デジタル放送の伝送方式  ＡＲＩＢ  ＳＴＤ−Ｂ４４  ２．１版”、平成２８年３月２５日
【発明の概要】
【発明が解決しようとする課題】
【０００６】
たとえば、一般社団法人  電波産業会、”高度広帯域衛星デジタル放送の伝送方式  ＡＲＩＢ  ＳＴＤ−Ｂ４４  ２．１版”、平成２８年３月２５日（非特許文献３）に開示されている方式に従う高度広帯域衛星デジタル放送を、ケーブルテレビ網等のネットワークを介して加入者宅へ再送信する優れたシステムを構築することが可能な技術が望まれる。
【０００７】
この発明は、上述の課題を解決するためになされたもので、その目的は、高度広帯域衛星デジタル放送を、ケーブルテレビ網等のネットワークを介して加入者宅へ再送信する優れたシステムを構築することが可能な放送再送信装置および放送再送信方法を提供することである。
【課題を解決するための手段】
【０００８】
（１）上記課題を解決するために、この発明のある局面に係わる放送再送信装置は、高度広帯域衛星デジタル放送に用いられる放送再送信装置であって、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナと、前記チューナの前記記憶部から前記ＴＭＣＣ情報の一部である第１の情報を読み出す読み出し部と、前記ＴＭＣＣ情報に含まれる情報であって前記第１の情報とは異なる情報である第２の情報を作成する情報作成部と、前記読み出し部によって読み出された前記第１の情報および前記情報作成部によって作成された前記第２の情報を合わせることにより、前記ＴＭＣＣ情報の一部または全部を復元する情報復元部と、前記チューナから受けた前記復調データ、および前記情報復元部によって復元された前記ＴＭＣＣ情報を含むストリームを生成するストリーム生成部と、前記ストリーム生成部によって生成された前記ストリームを変調して再送信用放送波を生成する放送波生成部とを備える。
【０００９】
（３）上記課題を解決するために、この発明のある局面に係わる放送再送信方法は、高度広帯域衛星デジタル放送に用いられ、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナを備える放送再送信装置における放送再送信方法であって、前記チューナの前記記憶部から前記ＴＭＣＣ情報の一部である第１の情報を読み出すステップと、前記ＴＭＣＣ情報に含まれる情報であって前記第１の情報とは異なる情報である第２の情報を作成するステップと、読み出した前記第１の情報および作成した前記第２の情報を合わせることにより、前記ＴＭＣＣ情報の一部または全部を復元するステップと、前記チューナから受けた前記復調データ、および復元した前記ＴＭＣＣ情報を含むストリームを生成するステップと、生成した前記ストリームを変調して再送信用放送波を生成するステップとを含む。
【００１０】
本発明は、このような特徴的な処理部を備える放送再送信装置として実現することができるだけでなく、かかる特徴的な処理のステップをコンピュータに実行させるためのプログラムとして実現することができる。また、本発明は、放送再送信装置の一部または全部を実現する半導体集積回路として実現したり、放送再送信装置を含むシステムとして実現したりすることができる。
【発明の効果】
【００１１】
本発明によれば、高度広帯域衛星デジタル放送を、ケーブルテレビ網等のネットワークを介して加入者宅へ再送信する優れたシステムを構築することができる。
【図面の簡単な説明】
【００１２】
【図１】図１は、本発明の実施の形態に係る放送再送信システムの構成を示す図である。
【図２】図２は、本発明の実施の形態に係る放送再送信システムにおいて、衛星放送波によって伝送されるデータのプロトコルスタックの一例を示す図である。
【図３】図３は、本発明の実施の形態に係る放送再送信システムにおいて、衛星放送波によって伝送されるＴＬＶパケットの一例を示す図である。
【図４】図４は、本発明の実施の形態に係る放送再送信システムにおける放送再送信装置の構成を示す図である。
【図５】図５は、本発明の実施の形態に係る放送再送信システムにおいて伝送されるストリームのフレームの一例を示す図である。
【図６】図６は、本発明の実施の形態に係る放送再送信装置における伝送ＴＭＣＣ情報のフォーマットの一例を示す図である。
【図７】図７は、本発明の実施の形態に係る放送再送信装置における伝送ＴＭＣＣ情報のポインタ／スロット情報の構成の一例を示す図である。
【図８】図８は、本発明の実施の形態に係る放送再送信装置が再送信用放送波を生成する際の動作手順を定めたフローチャートである。
【発明を実施するための形態】
【００１３】
最初に、本発明の実施形態の内容を列記して説明する。
【００１４】
（１）本発明の実施の形態に係る放送再送信装置は、高度広帯域衛星デジタル放送に用いられる放送再送信装置であって、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナと、前記チューナの前記記憶部から前記ＴＭＣＣ情報の一部である第１の情報を読み出す読み出し部と、前記ＴＭＣＣ情報に含まれる情報であって前記第１の情報とは異なる情報である第２の情報を作成する情報作成部と、前記読み出し部によって読み出された前記第１の情報および前記情報作成部によって作成された前記第２の情報を合わせることにより、前記ＴＭＣＣ情報の一部または全部を復元する情報復元部と、前記チューナから受けた前記復調データ、および前記情報復元部によって復元された前記ＴＭＣＣ情報を含むストリームを生成するストリーム生成部と、前記ストリーム生成部によって生成された前記ストリームを変調して再送信用放送波を生成する放送波生成部とを備える。
【００１５】
このように、チューナからＴＭＣＣ情報の一部を読み出し、さらに、読み出した部分を除くＴＭＣＣ情報を自己が作成することにより、受信した衛星放送波に含まれるＴＭＣＣ情報を復元する構成により、ＴＭＣＣ情報の少なくとも一部が出力されないチューナを用いて衛星放送波の再送信を行うことができる。また、チューナから出力される復調データを再変調することにより、搬送波対雑音比を元の衛星放送波より大きくすることができるため、たとえば加入者宅において、放送再送信装置を介して送信された放送波を受信し、受信した放送波に含まれる番組を安定して再生することができる。したがって、高度広帯域衛星デジタル放送を、ケーブルテレビ網等のネットワークを介して加入者宅へ再送信する優れたシステムを構築することができる。
【００１６】
（２）好ましくは、前記衛星放送波は、複数のフレームを含み、前記放送再送信装置は、さらに、前記チューナから受けた前記復調データに基づいて前記フレームのタイミングを検出し、検出した前記タイミングに基づいて、前記ストリーム生成部および前記放送波生成部において用いられるクロックの周波数を調整する調整部を備える。
【００１７】
このような構成により、再送信用放送波のクロックの周波数を、簡易な処理で衛星放送波の送信クロックの周波数に合わせることができる。
【００１８】
（３）本発明の実施の形態に係る放送再送信方法は、高度広帯域衛星デジタル放送に用いられ、番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナを備える放送再送信装置における放送再送信方法であって、前記チューナの前記記憶部から前記ＴＭＣＣ情報の一部である第１の情報を読み出すステップと、前記ＴＭＣＣ情報に含まれる情報であって前記第１の情報とは異なる情報である第２の情報を作成するステップと、読み出した前記第１の情報および作成した前記第２の情報を合わせることにより、前記ＴＭＣＣ情報の一部または全部を復元するステップと、前記チューナから受けた前記復調データ、および復元した前記ＴＭＣＣ情報を含むストリームを生成するステップと、生成した前記ストリームを変調して再送信用放送波を生成するステップとを含む。
【００１９】
このように、チューナからＴＭＣＣ情報の一部を読み出し、さらに、読み出した部分を除くＴＭＣＣ情報を自己が作成することにより、受信した衛星放送波に含まれるＴＭＣＣ情報を復元する構成により、ＴＭＣＣ情報の少なくとも一部が出力されないチューナを用いて衛星放送波の再送信を行うことができる。また、チューナから出力される復調データを再変調することにより、搬送波対雑音比を元の衛星放送波より大きくすることができるため、たとえば加入者宅において、放送再送信装置を介して送信された放送波を受信し、受信した放送波に含まれる番組を安定して再生することができる。したがって、高度広帯域衛星デジタル放送を、ケーブルテレビ網等のネットワークを介して加入者宅へ再送信する優れたシステムを構築することができる。
【００２０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２１】
図１は、本発明の実施の形態に係る放送再送信システムの構成を示す図である。
【００２２】
図１を参照して、放送再送信システム３０１は、放送再送信装置１０１と、ケーブルテレビ網１０と、複数のＳＴＢ（Ｓｅｔ  Ｔｏｐ  Ｂｏｘ）１３１とを備える。ＳＴＢ１３１は、ＴＶモニタ１３３に接続されている。
【００２３】
なお、放送再送信システム３０１は、複数のＳＴＢ１３１を備える構成に限らず、１つのＳＴＢ１３１を備える構成であってもよい。
【００２４】
放送再送信装置１０１は、たとえば、ケーブルテレビ放送を提供する事業者の局舎１５１に設けられる。ＳＴＢ１３１およびＴＶモニタ１３３は、加入者宅１５２に設けられる。
【００２５】
放送再送信装置１０１には、たとえば、外部アンテナ８１が接続されている。放送再送信装置１０１は、たとえばストリームを含む衛星放送波を受信する。
【００２６】
ストリームは、番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００２７】
音声情報および映像情報は、たとえば、所定の方式に従って、圧縮および暗号化が施されている。
【００２８】
放送再送信装置１０１は、たとえば、放送局からのストリームを中継するための、図示しない高度広帯域衛星デジタル放送用の放送衛星から送信された衛星放送波を外部アンテナ８１経由で受信する。
【００２９】
図２は、本発明の実施の形態に係る放送再送信システムにおいて、衛星放送波によって伝送されるデータのプロトコルスタックの一例を示す図である。図２では、ＴＬＶパケットを用いるプロトコルスタックが示されている。
【００３０】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００３１】
図２に示す例では、衛星放送波は、たとえば、ＴＭＣＣ情報、ＡＣ情報およびＴＬＶパケットを含む。
【００３２】
図３は、本発明の実施の形態に係る放送再送信システムにおいて、衛星放送波によって伝送されるＴＬＶパケットの一例を示す図である。図３には、データ種別を示す情報が格納されたヘッダを有するパケットの一例である、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年１０月１２日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉（非特許文献２）の規格に従うＴＬＶパケットのフォーマットが示されている。
【００３３】
ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００３４】
「パケットタイプ」のフィールドには、「０ｘ０１」、「０ｘ０２」、「０ｘ０３」または「０ｘＦＦ」等の値が格納される。ここで、「０ｘ」で始まる数字は、「０ｘ」以降の数字が１６進数で表されていることを意味する。
【００３５】
「パケットタイプ」のフィールドにおいて「０ｘ０１」が格納される場合、ＴＬＶパケット６１は、ＴＬＶペイロードにおいて、「長さ」のフィールドに格納された値の総データ長となるＩＰｖ４パケットを含む。
【００３６】
また、「パケットタイプ」のフィールドにおいて「０ｘ０２」が格納される場合、ＴＬＶパケット６２は、ＴＬＶペイロードにおいて、「長さ」のフィールドに格納された値の総データ長となるＩＰｖ６パケットを含む。
【００３７】
また、「パケットタイプ」のフィールドにおいて「０ｘ０３」が格納される場合、ＴＬＶパケット６３は、ＴＬＶペイロードにおいて、「長さ」のフィールドに格納された値の総データ長となるＩＰパケットを含む。圧縮ＩＰパケットは、たとえばＩＰヘッダが圧縮されたＩＰパケットである。
【００３８】
また、「パケットタイプ」のフィールドにおいて「０ｘＦＦ」が格納される場合、ＴＬＶパケット６４は、ＴＬＶペイロードにおいて、「長さ」のフィールドに格納された値の総データ長となるヌルデータを含む。以下、ＴＬＶペイロードにおいてヌルデータを含むＴＬＶパケットを、ＴＬＶヌルパケットとも称する。
【００３９】
再び図２を参照して、たとえば、時刻同期用のＮＴＰ（Ｎｅｔｗｏｒｋ  Ｔｉｍｅ  Ｐｒｏｔｏｃｏｌ）データ、ＩＰ−ＳＩデータ、時刻情報、ＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。ＭＭＴパケットには、映像情報、音声情報、ＭＭＴ−ＳＩデータ、および他の情報が格納される。
【００４０】
ＴＬＶパケット６１〜６３（以下、ＴＬＶ情報パケットとも称する。）は、このようなＵＤＰ／ＩＰパケットを格納する。
【００４１】
再び図１を参照して、放送再送信装置１０１は、衛星放送波から番組の情報を取得し、取得した番組の情報を含む放送波をケーブルテレビ網１０を介して各加入者宅１５２へ送信する。
【００４２】
ＳＴＢ１３１は、たとえば、放送再送信装置１０１から送信される放送波をケーブルテレビ網１０を介して受信する。
【００４３】
ＳＴＢ１３１は、放送再送信装置１０１からの放送波を受信すると、受信した放送波から番組の情報を取得し、取得した番組の情報に基づいて音声情報および映像情報をデコードし、デコード後の音声情報および映像情報をＴＶモニタ１３３へ送信する。
【００４４】
ＴＶモニタ１３３は、ＳＴＢ１３１から受信した音声情報および映像情報に基づいて番組を再生する。
【００４５】
図４は、本発明の実施の形態に係る放送再送信システムにおける放送再送信装置の構成を示す図である。
【００４６】
図４を参照して、放送再送信装置１０１は、チューナ１１と、読み出し部１２と、情報作成部１３と、情報復元部１４と、ストリーム生成部１５と、放送波生成部１６と、調整部１７と、ＶＣＯ（Ｖｏｌｔａｇｅ−Ｃｏｎｔｒｏｌｌｅｄ  Ｏｓｃｉｌｌａｔｏｒ）１８とを備える。チューナ１１は、受信部２１と、復調部２２と、記憶部２３とを含む。ストリーム生成部１５は、ＦＩＦＯ３１を含む。
【００４７】
ＶＣＯ１８は、基準クロックを生成する。より詳細には、ＶＣＯ１８は、３３．７５７１メガヘルツを含む所定の周波数範囲において、調整部１７から受ける電圧の大きさに応じた周波数を有するクロックを生成することが可能である。
【００４８】
チューナ１１は、番組の情報およびＴＭＣＣ情報を含む衛星放送波を受けて復調し、番組の情報を含み、かつＴＭＣＣ情報を含まない復調データを出力する。
【００４９】
より詳細には、チューナ１１における受信部２１は、高度広帯域衛星デジタル放送用の放送衛星から送信された番組の情報およびＴＭＣＣ情報を含む衛星放送波を外部アンテナ８１経由で受信し、受信した衛星放送波を復調部２２へ出力する。
【００５０】
放送再送信システム３０１における衛星放送波は、たとえば、上述の、番組の情報を含むＴＬＶパケットであるＴＬＶ番組パケット、および協定世界時を用いて装置間における時刻合わせを行うための時刻合わせ情報等を含み、かつＭＭＴ方式に従う。ＮＴＰデータは、時刻合わせ情報の一例である。
【００５１】
復調部２２は、衛星放送波に含まれるストリームを取得する。より詳細には、復調部２２は、受信部２１から受けた衛星放送波を復調してデジタル信号に変換する。そして、復調部２２は、当該デジタル信号に基づいて、ＴＬＶ番組パケット、および時刻合わせ情報等を含むストリームを生成し、生成したストリームのうちのＴＭＣＣ情報を記憶部２３に保存する。
【００５２】
また、復調部２２は、生成したストリームのうちのＴＭＣＣ情報以外の情報を復調データとして情報作成部１３、ストリーム生成部１５および調整部１７へ出力する。
【００５３】
衛星放送波において、高度広帯域衛星デジタル放送の複数のストリームを効率良く伝送するためのフレームが含まれることが規定されている。ストリームの伝送は、フレームの構造を維持したまま行われる。
【００５４】
フレームには、最大で１６の放送局の番組にそれぞれ対応する複数のストリームを含めることが可能である。各ストリームは、たとえばＴＬＶパケットにおけるＭＭＴパケットに含まれる伝送ストリームＩＤを用いることにより区別される。
【００５５】
図５は、本発明の実施の形態に係る放送再送信システムにおいて伝送されるストリームのフレームの一例を示す図である。図５には、非特許文献３の規格に従うフレームの構造が示されている。
【００５６】
図５は、１つのフレームが３つの放送局の番組にそれぞれ対応する３つのストリームを含む場合を示す。
【００５７】
図５を参照して、フレームは、１２０個のスロットにより構成される。すなわち、１つのストリームには、たとえば４０個のスロットが割り当てられる。たとえば、ストリーム番号ＳＮ１のストリームには、スロット１からスロット４０が割り当てられ、ストリーム番号ＳＮ２のストリームには、スロット４１からスロット８０が割り当てられ、ストリーム番号ＳＮ３のストリームには、スロット８１からスロット１２０が割り当てられる。
【００５８】
スロットには、ストリームが分割されて格納される。また、フレームの時間の長さは、３３ミリ秒である。
【００５９】
スロットは、先頭から順に、４４８８０ビットの復調データと、１６００ビットのＴＭＣＣ情報とを含む。
【００６０】
復調データは、先頭から順に、スロットヘッダ、主信号、ＢＣＨ符号パリティ、スタッフビットおよびＬＤＰＣ（Ｌｏｗ  Ｄｅｎｓｉｔｙ  Ｐａｒｉｔｙ  Ｃｈｅｃｋ）符号パリティのフィールドで構成されている。
【００６１】
スロットヘッダのデータ長は、１７６ビットである。
【００６２】
主信号のデータ長は、可変長である。主信号のフィールドには、１または複数の分割されたＴＬＶパケット等が格納される。
【００６３】
復調データがＴＬＶパケットを含む場合、スロットヘッダの先頭から１６ビットは、先頭ＴＬＶ指示を示す。
【００６４】
先頭ＴＬＶ指示は、各スロットの主信号における最初のＴＬＶパケットの先頭ヘッダの位置を、主信号のフィールドの先頭からのバイト数で示したものである。
【００６５】
ＢＣＨ符号パリティのデータ長は、１９２ビットである。スタッフビットのデータ長は、６ビットである。ＬＤＰＣ符号パリティのデータ長は、可変長である。
【００６６】
ＴＭＣＣ情報は、先頭から順に、２８０ビットの固定長の基本ＴＭＣＣ情報のフィールドと、１３２０ビットの固定長の伝送ＴＭＣＣ情報等が格納されるフィールドとで構成される。
【００６７】
基本ＴＭＣＣ情報のフィールドは、先頭から順に、１２０ビットの固定長の同期信号のフィールドと、１６０ビットの固定長の信号点配置情報のフィールドとを含む。
【００６８】
ＴＭＣＣ情報は、複数のスロットに分割されて格納される。より詳細には、同期信号は、２４スロットにわたり格納される。信号点配置情報は、変調方式の組み合わせに応じて２４スロット〜１２０スロットにわたり格納される。
【００６９】
また、１３２０ビット×７スロットの９２４０ビットと８スロット目の１８２ビットを足し合わせた９４２２ビットの伝送ＴＭＣＣ情報に、ＢＣＨ符号パリティ１９２ビットおよびＬＤＰＣ符号パリティ２２０６６ビットを付加した３１６８０ビットの情報が、２４スロットにわたり格納される。
【００７０】
［課題］
高度広帯域衛星デジタル放送に用いられる衛星放送波におけるＣ／Ｎ（Ｃａｒｒｉｅｒ  ｔｏ  Ｎｏｉｓｅ  Ｒａｔｉｏ：搬送波対雑音比）は、たとえば１６ｄＢ〜１８ｄＢである。
【００７１】
一般に、高度広帯域衛星デジタル放送を再生するには、放送波において１２ｄＢ以上のＣ／Ｎが必要であり、たとえば、放送波が伝送中に減衰してＣ／Ｎが１２ｄＢより小さくなる場合、受信した放送波に含まれる高度広帯域衛星デジタル放送を再生することが困難になる。
【００７２】
また、たとえばケーブルテレビ網を介して送信された、衛星放送波に基づく放送波を、加入者宅において受信し、受信した放送波に含まれる高度広帯域衛星デジタル放送を再生するには、ＴＭＣＣ情報のうちの伝送ＴＭＣＣ情報が必要である。しかしながら、伝送ＴＭＣＣ情報は、主信号としてチューナ１１から出力されない。
【００７３】
このため、放送再送信システムにおいて衛星放送波に基づく放送波をケーブルテレビ網等を介して送信するには、たとえば伝送ＴＭＣＣ情報の作成を要する。
【００７４】
しかしながら、伝送ＴＭＣＣ情報は変更が禁止されているため、放送再送信システムにおいて、受信した衛星放送波における伝送ＴＭＣＣ情報を再現する必要がある。
【００７５】
そこで、本発明の実施の形態に係る放送再送信システムでは、以下のような構成および動作により、上記問題を解決する。
【００７６】
放送再送信装置１０１では、ＴＭＣＣ情報をチューナ１１の記憶部２３から部分的に読み出すことができる。
【００７７】
より詳細には、放送再送信装置１０１における読み出し部１２は、たとえば、Ｉ２Ｃ（Ｉｎｔｅｒ−Ｉｎｔｅｇｒａｔｅｄ  Ｃｉｒｃｕｉｔ）バスを用いて、ＴＭＣＣ情報の一部である第１の情報を、復調データより低いレートでチューナ１１における記憶部２３から読み出す。
【００７８】
図６は、本発明の実施の形態に係る放送再送信装置における伝送ＴＭＣＣ情報のフォーマットの一例を示す図である。図６には、非特許文献３の規格に従う伝送ＴＭＣＣ情報のフォーマットが示されている。
【００７９】
図６を参照して、伝送ＴＭＣＣ情報は、先頭から順に、変更指示、伝送モード／スロット情報、ストリーム種別／相対ストリーム情報、パケット形式／相対ストリーム情報、ポインタ／スロット情報、相対ストリーム／スロット情報、相対ストリーム／伝送ストリームＩＤ対応表情報、送受信制御情報および拡張情報のフィールドで構成されている。
【００８０】
変更指示のデータ長は、８ビットである。伝送モード／スロット情報のデータ長は、１９２ビットである。ストリーム種別／相対ストリーム情報のデータ長は、１２８ビットである。パケット形式／相対ストリーム情報のデータ長は、８９６ビットである。ポインタ／スロット情報データ長は、３８４０ビットである。相対ストリーム／スロット情報のデータ長は、４８０ビットである。相対ストリーム／伝送ストリームＩＤ対応表情報のデータ長は、２５６ビットである。送受信制御情報のデータ長は、８ビットである。拡張情報のデータ長は、３６１４ビットである。
【００８１】
読み出し部１２は、第１の情報として、変更指示、伝送モード／スロット情報、ストリーム種別／相対ストリーム情報、相対ストリーム／スロット情報、相対ストリーム／伝送ストリームＩＤ対応表情報、および送受信制御情報の値を記憶部２３から読み出し、読み出した各値を情報復元部１４へ出力する。
【００８２】
このように、読み出し部１２は、９４２２ビットの伝送ＴＭＣＣ情報のうちの１０７２ビットを読み出すことにより、フレームの時間の長さである３３ミリ秒の間に必要な情報を取得することが可能となる。
【００８３】
一方、情報作成部１３は、伝送ＴＭＣＣ情報に含まれる情報であって第１の情報とは異なる情報である第２の情報を作成する。
【００８４】
より詳細には、伝送ＴＭＣＣ情報におけるポインタ／スロット情報は、各フレームで異なるため、フレームごとに設定する必要がある。
【００８５】
しかしながら、ポインタ／スロット情報のデータ長は、３８４０ビットと大きい。このため、通信レートが復調データのレートより低いＩ２Ｃバスを用いて、フレームの時間の長さである３３ミリ秒より短い時間で記憶部２３からポインタ／スロット情報を読み出すことは、困難である。
【００８６】
また、ポインタ／スロット情報を復調データに対応付けて読み出すことが困難であるため、読み出したポインタ／スロット情報がいずれの復調データに対応しているかを判別することが困難である。
【００８７】
そこで、情報作成部１３は、復調部２２から受けた復調データに基づいて、第２の情報として伝送ＴＭＣＣ情報におけるポインタ／スロット情報を作成する。
【００８８】
図７は、本発明の実施の形態に係る放送再送信装置における伝送ＴＭＣＣ情報のポインタ／スロット情報の構成の一例を示す図である。図７には、非特許文献３の規格に従うポインタ／スロット情報の構成が示されている。
【００８９】
図７を参照して、伝送ＴＭＣＣ情報のポインタ／スロット情報のフィールドには、各スロットのトップポインタとラストポインタとをそれぞれ示す１６ビットの値が順番に格納されている。
【００９０】
より詳細には、トップポインタの値は、各スロットに含まれる複数のＴＬＶパケットのうちの最初のＴＬＶパケットにおける上述の先頭ＴＬＶ指示の値となる。
【００９１】
ラストポインタの値は、各スロットに含まれる複数のＴＬＶパケットのうちの最後のＴＬＶパケットにおける末尾の位置を、主信号のフィールドの先頭からのバイト数で示したものである。
【００９２】
具体的には、図７を参照して、情報作成部１３は、復調部２２から受けた復調データの各スロットにおける最初の先頭ＴＬＶ指示の値を取得し、取得した先頭ＴＬＶ指示の値を各スロットにおけるトップポインタの値として設定する。
【００９３】
また、情報作成部１３は、当該各スロットの主信号フィールドに含まれる最後の先頭ＴＬＶ指示の値を取得する。
【００９４】
そして、情報作成部１３は、取得した先頭ＴＬＶ指示が含まれるＴＬＶパケットを参照して当該ＴＬＶパケットにおける「長さ」のフィールドの値を取得する。
【００９５】
情報作成部１３は、取得した先頭ＴＬＶ指示の値および「長さ」のフィールドの値に基づいて、各スロットにおけるラストポインタの値を算出する。
【００９６】
情報作成部１３は、設定した各スロットにおけるトップポインタの値、および算出した各スロットにおけるラストポインタの値を順番に並べてポインタ／スロット情報のフィールドの値として設定する。
【００９７】
情報作成部１３は、設定したポインタ／スロット情報の値を情報復元部１４へ出力する。
【００９８】
情報復元部１４は、読み出し部１２によって読み出された第１の情報および情報作成部１３によって作成された第２の情報を合わせることにより、伝送ＴＭＣＣ情報の一部または全部を復元する。
【００９９】
より詳細には、情報復元部１４は、読み出し部１２から受けた変更指示、伝送モード／スロット情報、ストリーム種別／相対ストリーム情報、相対ストリーム／スロット情報、相対ストリーム／伝送ストリームＩＤ対応表情報、および送受信制御情報の各々の値を伝送ＴＭＣＣ情報のフォーマットに従って並べる。
【０１００】
また、情報復元部１４は、情報作成部１３から受けたポインタ／スロット情報の値を上記伝送ＴＭＣＣ情報のポインタ／スロット情報のフィールドに格納する。
【０１０１】
そして、情報復元部１４は、上記伝送ＴＭＣＣ情報のパケット形式／相対ストリーム情報のフィールドおよび拡張情報のフィールドに、チューナ１１が受信した衛星放送波に含まれる伝送ＴＭＣＣ情報と同じ固定値を格納することにより、伝送ＴＭＣＣ情報の全部を復元し、復元した伝送ＴＭＣＣ情報をストリーム生成部１５へ出力する。
【０１０２】
なお、情報復元部１４は、上記伝送ＴＭＣＣ情報のパケット形式／相対ストリーム情報のフィールドおよび拡張情報のフィールドに、チューナ１１が受信した衛星放送波に含まれる伝送ＴＭＣＣ情報と異なる固定値を格納することにより、伝送ＴＭＣＣ情報の一部を復元し、復元した伝送ＴＭＣＣ情報をストリーム生成部１５へ出力する構成であってもよい。
【０１０３】
ストリーム生成部１５は、チューナ１１から受けた復調データ、および情報復元部１４によって復元された伝送ＴＭＣＣ情報を含むストリームを生成する。
【０１０４】
より詳細には、ストリーム生成部１５は、チューナ１１から受けた復調データに情報復元部１４から受けた伝送ＴＭＣＣ情報を付加することによりストリームを生成し、生成したストリームをＦＩＦＯ３１へ書き込む。
【０１０５】
また、ストリーム生成部１５は、ＦＩＦＯ３１に蓄積されたストリームを読み出して放送波生成部１６へ出力する。
【０１０６】
ここで、調整部１７は、チューナ１１から受けた復調データに基づいてフレームのタイミングを検出し、検出したタイミングに基づいて、ストリーム生成部１５において用いられるクロックの周波数を調整する。
【０１０７】
調整部１７は、復調部２２から受けた復調データに含まれるフレームの時間の長さを計測する。より詳細には、調整部１７は、復調部２２から受けた復調データにおけるフレームの先頭を検出する。
【０１０８】
具体的には、フレームに含まれる最初のＴＬＶパケットには、ＮＴＰデータが含まれる。調整部１７は、ＮＴＰデータを検出すると、検出したＮＴＰデータが含まれるＴＬＶパケットにおけるＭＭＴパケットを参照することにより、当該ＴＬＶパケットの伝送ストリームＩＤを取得する。
【０１０９】
そして、調整部１７は、上記ＭＭＴパケットに含まれる、伝送ストリームＩＤとフレームに含まれる複数のストリームの番号との対応関係を示すＭＨ−ＳＤＴ（ＭＨ−Ｓｅｒｖｉｃｅ  Ｄｅｓｃｒｉｐｔｉｏｎ  Ｔａｂｌｅ：ＭＨサービス記述テーブル）を用いて、取得した伝送ストリームＩＤがフレームにおけるいずれのストリーム番号に対応しているかを照合する。
【０１１０】
調整部１７は、取得した伝送ストリームＩＤがフレームにおけるストリーム番号ＳＮ１のストリームであった場合、当該ストリームの先頭のＴＬＶパケットにおけるＮＴＰデータが含まれるスロットのスロットヘッダをフレームの先頭であると判断して、ＶＣＯ１８から受けるクロックのパルスの数を当該スロットヘッダからカウントする。
【０１１１】
そして、調整部１７は、次のフレームの先頭を検出すると、クロックのカウントを停止し、カウント値を取得する。そして、調整部１７は、クロックのカウント値をゼロにリセットして、カウントを再開する。
【０１１２】
調整部１７は、取得したクロックのカウント値に基づいて、ＶＣＯ１８の発振周波数を調整するためのＶＣＯ１８への出力電圧の大きさを決定する。
【０１１３】
より詳細には、調整部１７は、ＶＣＯ１８が出力するクロックのパルスを１１１５５２０カウントすることにより、フレームが３３ミリ秒より長いか否かを判断し、判断結果に基づいて、ＶＣＯ１８の発振周波数を調整するためのＶＣＯ１８への出力電圧の大きさを決定する。
【０１１４】
具体的には、調整部１７は、たとえば、取得したクロックのカウント値が１１１５５２０より大きい場合、ＶＣＯ１８における発振周波数が小さくなるようにＶＣＯ１８への出力電圧の大きさを決定する。
【０１１５】
また、クロック調整部４３は、たとえば、取得したクロックのカウント値が１１１５５２０より小さい場合、ＶＣＯ１８における発振周波数が大きくなるようにＶＣＯ１８への出力電圧の大きさを決定する。
【０１１６】
また、調整部１７は、ＦＩＦＯ３１におけるデータの蓄積量に基づいてＶＣＯ１８の発振周波数を調整する。
【０１１７】
より詳細には、ストリーム生成部１５は、ＶＣＯ１８から受けたクロックを用いて、ＦＩＦＯ３１に蓄積されたストリームを読み出す。ストリーム生成部１５は、ＦＩＦＯ３１がオーバーフローまたはアンダーフローを起こさないようにデータの蓄積量を監視し、監視結果を調整部１７へ出力する。
【０１１８】
ＦＩＦＯ３１におけるデータの蓄積量は、ＶＣＯ１８から受けたクロックの周波数がＦＩＦＯ３１に対するストリームの書き込みに用いるクロックの周波数より大きい場合に減少し、ＶＣＯ１８から受けたクロックの周波数がＦＩＦＯ３１に対するストリームの書き込みに用いるクロックの周波数より小さい場合に増加する。
【０１１９】
ストリーム生成部１５は、ＦＩＦＯ３１におけるデータの蓄積量が減少している旨の監視結果、またはＦＩＦＯ３１におけるデータの蓄積量が増加している旨の監視結果を調整部１７へ出力する。
【０１２０】
調整部１７は、ストリーム生成部１５から受けた監視結果に基づいて、ＶＣＯ１８の発振周波数を調整するためのＶＣＯ１８への出力電圧の大きさを決定する。
【０１２１】
より詳細には、調整部１７は、ストリーム生成部１５からＦＩＦＯ３１におけるデータの蓄積量が減少している旨の監視結果を受けた場合、ＶＣＯ１８における発振周波数が小さくなるようにＶＣＯ１８への出力電圧の大きさを決定する。
【０１２２】
また、調整部１７は、ストリーム生成部１５からＦＩＦＯ３１におけるデータの蓄積量が増加している旨の監視結果を受けた場合、ＶＣＯ１８における発振周波数が大きくなるようにＶＣＯ１８への出力電圧の大きさを決定する。
【０１２３】
このように、ストリーム生成部１５および調整部１７は、ＦＩＦＯ３１におけるデータの蓄積量を監視して、ＶＣＯ１８から受けたクロックの周波数と、ＦＩＦＯ３１に対する書き込みに用いるクロックの周波数とが所定の分周比または同じ周波数になるようにＶＣＯ１８から受けたクロックの周波数を調整する。これにより、ストリーム生成部１５が生成するストリームの送信クロックを、衛星放送波に含まれるストリームの送信クロックの周波数に周波数を合わせることができる。
【０１２４】
ＶＣＯ１８は、調整部１７から受けた電圧の大きさに従う発振周波数のクロックを出力する。
【０１２５】
放送波生成部１６は、ストリーム生成部１５によって生成されたストリームを変調して再送信用放送波を生成する。
【０１２６】
より詳細には、伝送ＴＭＣＣ情報における伝送モード／スロット情報は、ストリームの変調方式等を示す。放送波生成部１６は、ＶＣＯ１８から受けたクロックを用いて、ストリーム生成部１５から受けたストリームに含まれる伝送ＴＭＣＣ情報における伝送モード／スロット情報に従って、当該ストリームの変調処理を行う。
【０１２７】
そして、放送波生成部１６は、変調後のストリームの周波数をたとえばケーブルテレビ網１０に対応する周波数に変換して再送信用放送波を生成する。
【０１２８】
また、たとえば、放送波生成部１６は、調整部１７によって調整された周波数のクロックを用いる。
【０１２９】
調整部１７は、上述のようなクロックの周波数の調整を行うことにより、衛星放送波に含まれるストリームの送信クロックの周波数に、放送波生成部１６において用いられるクロックの周波数を合わせる。
【０１３０】
これにより、放送波生成部１６は、衛星放送波に含まれるストリームの送信クロックの周波数と同じ周波数のクロックのタイミングに従う再送信用放送波を生成することができる。
【０１３１】
そして、放送波生成部１６は、生成した再送信用放送波をたとえばケーブルテレビ網１０を介して各加入者宅１５２へ送信する。
【０１３２】
［動作の流れ］
放送再送信システム３０１における各装置は、メモリを含むコンピュータを備え、当該コンピュータにおけるＣＰＵ等の演算処理部は、以下のフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１３３】
図８は、本発明の実施の形態に係る放送再送信装置が再送信用放送波を生成する際の動作手順を定めたフローチャートである。
【０１３４】
図８を参照して、まず、放送再送信装置１０１は、衛星放送波を受信して、受信した衛星放送波を復調することによりストリームを生成し、生成したストリームのうちのＴＭＣＣ情報を記憶部２３に保存するとともに、生成したストリームのうちのＴＭＣＣ情報を含まない復調データを出力する（ステップＳ１０１）。
【０１３５】
次に、放送再送信装置１０１は、チューナ１１における記憶部２３からＴＭＣＣ情報の一部である第１の情報を読み出す（ステップＳ１０２）。
【０１３６】
次に、放送再送信装置１０１は、生成した復調データを用いて、ＴＭＣＣ情報に含まれる情報であって第１の情報とは異なる情報である第２の情報を作成する（ステップＳ１０３）。
【０１３７】
次に、放送再送信装置１０１は、上述の固定値、読み出した第１の情報、および作成した第２の情報を合わせることにより伝送ＴＭＣＣ情報の一部または全部を復元する（ステップＳ１０４）。
【０１３８】
次に、放送再送信装置１０１は、生成した復調データに復元した伝送ＴＭＣＣ情報を付加することにより、復元した伝送ＴＭＣＣ情報を含むストリームを生成する（ステップＳ１０５）。
【０１３９】
次に、放送再送信装置１０１は、生成したストリームを変調することにより再送信用放送波を生成する（ステップＳ１０６）。
【０１４０】
次に、放送再送信装置１０１は、生成した再送信用放送波をたとえばケーブルテレビ網１０を介して各加入者宅１５２へ送信する（ステップＳ１０７）。
【０１４１】
なお、ステップＳ１０２およびステップＳ１０３の動作は、上記に限らず、順番を入れ替えてもよい。
【０１４２】
また、本発明の実施の形態に係る放送再送信システムでは、調整部１７は、フレームのタイミングに基づいて、クロックの周波数を調整する構成であるとしたが、これに限定するものではない。調整部１７は、フレームに含まれるスロット等のタイミングに基づいて、クロックの周波数を調整する構成であってもよい。
【０１４３】
なお、本発明の実施の形態に係る放送再送信装置では、チューナ１１は、ＴＭＣＣ情報を含まない復調データを出力する構成であるとしたが、これに限定するものではない。チューナ１１は、ＴＭＣＣ情報の一部を含む復調データを出力する構成であってもよい。この場合、チューナ１１は、ＴＭＣＣ情報のうち、復調データに含まれないＴＭＣＣ情報の一部は読み出し部１２によって記憶部２３から読み出し可能な構成である。さらに、チューナ１１は、ＴＭＣＣ情報のうち、復調データに含まれるＴＭＣＣ情報の一部も読み出し部１２によって記憶部２３から読み出し可能な構成であってもよい。
【０１４４】
ところで、高度広帯域衛星デジタル放送を、ケーブルテレビ網等のネットワークを介して加入者宅へ再送信する優れたシステムを構築することが可能な技術が望まれる。
【０１４５】
これに対して、本発明の実施の形態に係る放送再送信装置では、チューナ１１は、番組の情報およびＴＭＣＣ情報を含む衛星放送波を受けて復調し、番組の情報を含む復調データを出力し、復調データに含まれないＴＭＣＣ情報は記憶部２３から部分的に読み出せる。読み出し部１２は、チューナ１１の記憶部２３からＴＭＣＣ情報の一部である第１の情報を読み出す。情報作成部１３は、ＴＭＣＣ情報に含まれる情報であって第１の情報とは異なる情報である第２の情報を作成する。情報復元部１４は、読み出し部１２によって読み出された第１の情報および情報作成部１３によって作成された第２の情報を合わせることにより、ＴＭＣＣ情報の一部または全部を復元する。ストリーム生成部１５は、チューナ１１から受けた復調データ、および情報復元部１４によって復元されたＴＭＣＣ情報を含むストリームを生成する。放送波生成部１６は、ストリーム生成部１５によって生成されたストリームを変調して再送信用放送波を生成する。
【０１４６】
このように、チューナ１１からＴＭＣＣ情報の一部を読み出し、さらに、読み出した部分を除くＴＭＣＣ情報を自己が作成することにより、受信した衛星放送波に含まれるＴＭＣＣ情報を復元する構成により、ＴＭＣＣ情報の少なくとも一部が出力されないチューナを用いて衛星放送波の再送信を行うことができる。また、チューナ１１から出力される復調データを再変調することにより、搬送波対雑音比を元の衛星放送波より大きくすることができるため、たとえば加入者宅１５２において、放送再送信装置１０１を介して送信された放送波を受信し、受信した放送波に含まれる番組を安定して再生することができる。
【０１４７】
したがって、本発明の実施の形態に係る放送再送信装置では、高度広帯域衛星デジタル放送を、ケーブルテレビ網等のネットワークを介して加入者宅へ再送信する優れたシステムを構築することができる。
【０１４８】
また、本発明の実施の形態に係る放送再送信装置では、衛星放送波は、複数のフレームを含む。調整部１７は、チューナ１１から受けた復調データに基づいてフレームのタイミングを検出し、検出したタイミングに基づいて、ストリーム生成部１５および放送波生成部１６において用いられるクロックの周波数を調整する。
【０１４９】
このような構成により、再送信用放送波のクロックの周波数を、簡易な処理で衛星放送波の送信クロックの周波数に合わせることができる。
【０１５０】
また、本発明の実施の形態に係る放送再送信方法では、まず、チューナ１１の記憶部２３からＴＭＣＣ情報の一部である第１の情報を読み出す。次に、ＴＭＣＣ情報に含まれる情報であって第１の情報とは異なる情報である第２の情報を作成する。次に、読み出した第１の情報および作成した第２の情報を合わせることにより、ＴＭＣＣ情報の一部または全部を復元する。次に、チューナ１１から受けた復調データ、および復元したＴＭＣＣ情報を含むストリームを生成する。次に、生成したストリームを変調して再送信用放送波を生成する。
【０１５１】
このように、チューナ１１からＴＭＣＣ情報の一部を読み出し、さらに、読み出した部分を除くＴＭＣＣ情報を自己が作成することにより、受信した衛星放送波に含まれるＴＭＣＣ情報を復元する構成により、ＴＭＣＣ情報の少なくとも一部が出力されないチューナを用いて衛星放送波の再送信を行うことができる。また、チューナ１１から出力される復調データを再変調することにより、搬送波対雑音比を元の衛星放送波より大きくすることができるため、たとえば加入者宅１５２において、放送再送信装置１０１を介して送信された放送波を受信し、受信した放送波に含まれる番組を安定して再生することができる。
【０１５２】
したがって、本発明の実施の形態に係る放送再送信方法では、高度広帯域衛星デジタル放送を、ケーブルテレビ網等のネットワークを介して加入者宅へ再送信する優れたシステムを構築することができる。
【０１５３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１５４】
以上の説明は、以下に付記する特徴を含む。
［付記１］
高度広帯域衛星デジタル放送に用いられる放送再送信装置であって、
番組の情報およびＴＭＣＣ情報を含む衛星放送波を受けて復調し、前記番組の情報を含む復調データを出力し、前記復調データに含まれない前記ＴＭＣＣ情報は記憶部から部分的に読み出せるチューナと、
前記チューナの前記記憶部から前記ＴＭＣＣ情報の一部である第１の情報を読み出す読み出し部と、
前記ＴＭＣＣ情報に含まれる情報であって前記第１の情報とは異なる情報である第２の情報を作成する情報作成部と、
前記読み出し部によって読み出された前記第１の情報および前記情報作成部によって作成された前記第２の情報を合わせることにより、前記ＴＭＣＣ情報の一部または全部を復元する情報復元部と、
前記チューナから受けた前記復調データ、および前記情報復元部によって復元された前記ＴＭＣＣ情報を含むストリームを生成するストリーム生成部と、
前記ストリーム生成部によって生成された前記ストリームを変調して再送信用放送波を生成する放送波生成部とを備え、
前記放送波生成部は、前記取得部によって取得された前記第１の情報に基づいて前記再送信用放送波を生成し、
前記読み出し部は、前記復調データより低いレートで前記第１の情報を前記チューナの記憶部から読み出し、
前記調整部は、前記衛星放送波に含まれるストリームの送信クロックの周波数に、前記放送波生成部において用いられるクロックの周波数を合わせる、放送再送信装置。
【符号の説明】
【０１５５】
１０  ケーブルテレビ網
１１  チューナ
１２  読み出し部
１３  情報作成部
１４  情報復元部
１５  ストリーム生成部
１６  放送波生成部
１７  調整部
１８  ＶＣＯ
２１  受信部
２２  復調部
２３  記憶部
３１  ＦＩＦＯ
８１  外部アンテナ
１０１  放送再送信装置
１３１  ＳＴＢ
１３３  ＴＶモニタ
１５１  局舎
１５２  加入者宅
３０１  放送再送信システム
【図１】
2020010109.tif 000003
【図２】
2020010109.tif 000004
【図３】
2020010109.tif 000005
【図４】
2020010109.tif 000006
【図５】
2020010109.tif 000007
【図６】
2020010109.tif 000008
【図７】
2020010109.tif 000009
【図８】
2020010109.tif 000010